(57)【要約】【課題】大腿部の外側と内側にマッサージ効果を与える大腿部揺動装置を提供する。【解決手段】  人が仰向けに横たわることができるベッド１１と、ベッド１１の上面に対し垂直方向上側に突出した中心支柱１２と、中心支柱１２の左右にそれぞれ設けられ、ベッド１１の上面に対し垂直方向上側に突出した左右支柱１３、１３と、左右支柱の間隔を調節する調節手段と、中心支柱１２及び左右支柱１３、１３を一体的に左右に揺動させる揺動手段と、を備えた構成とした。中心支柱１２を股の間に挟ませ、左右支柱１３、１３の間隔を狭めることで大腿部の外側と内側を押し、中心支柱１２及び前記左右支柱１３、１３を一体的に左右に揺動させることで押したまま揉むのと同様の効果を得ることができる。【選択図】図１
2019098035.tif 000002
【特許請求の範囲】
【請求項１】
人が仰向けに横たわることができるベッドと、
前記ベッドの上面に対し垂直方向上側に突出した中心支柱と、
前記中心支柱の左右にそれぞれ設けられ、前記ベッドの上面に対し垂直方向上側に突出した左右支柱と、
前記左右支柱の間隔を調節する調節手段と、
前記中心支柱及び前記左右支柱を一体的に左右に揺動させる揺動手段と、
を備えた大腿部揺動装置。
【発明の詳細な説明】
【技術分野】
【０００１】
本発明は、大腿部にマッサージ効果を与える大腿部揺動装置に関するものである。
【背景技術】
【０００２】
施術師は、大腿部をマッサージする場合、手の平に体重をかけて施術部位を押し、そのまま手の平を動かすことで行うことが多い。いわゆる押し揉みである。しかし、この方法では大腿部の前側と後ろ側は、被施術者を仰向けに寝かせたり、うつ伏せに寝かせたりすることで可能となるが、外側と内側を行うのは容易ではなかった。また、内側は陰部に近いこともあって、施術を拒む被施術者も少なくなかった。
【０００３】
大腿部にマッサージ効果等を与える器具として、例えば特許文献１や特許文献２に記載の技術が提案されているが、いずれも大腿部の後ろ側の筋肉に対するものであり、外側と内側を対象にしたものではなかった。
【先行技術文献】
【特許文献】
【０００４】
【特許文献１】特開２０１４−１００２２３号公報
【特許文献２】特開２０１０−１０４６９８号公報
【発明の概要】
【発明が解決しようとする課題】
【０００５】
本発明は、このような事情に鑑みてなされたものであり、大腿部の外側と内側に対してマッサージ効果を与える装置を提供することを目的としている。
【課題を解決するための手段】
【０００６】
上記課題を解決するために、本発明に係る大腿部揺動装置は、
人が仰向けに横たわることができるベッドと、ベッドの上面に対し垂直方向上側に突出した中心支柱と、中心支柱の左右にそれぞれ設けられベッドの上面に対し垂直方向上側に突出した左右支柱と、左右支柱の間隔を調節する調節手段と、中心支柱及び前記左右支柱を一体的に左右に揺動させる揺動手段と、を備えている。なお、ここでいう左右とは、ベッドに横たわった人から見て左右という意味である。
【発明の効果】
【０００７】
中心支柱を股の間に挟ませ、左右支柱の間隔を狭めることで大腿部の外側と内側を押し、中心支柱及び前記左右支柱を一体的に左右に揺動させることで押したまま揉むのと同様の効果を得ることができる。
【図面の簡単な説明】
【０００８】
【図１】第一の実施形態である大腿部揺動装置を模式的に示した平面図である。
【図２】第一の実施形態である大腿部揺動装置を模式的に示した正面図（ベッドの下半身部を除いたもの）である。
【図３】第二の実施形態である大腿部揺動装置を模式的に示した平面図である。
【図４】第二の実施形態である大腿部揺動装置を模式的に示した正面図である。
【発明を実施するための形態】
【０００９】
以下、本発明の大腿部揺動装置を具現化した実施形態について、図面を用いて説明するが、本発明の技術的範囲は、もちろんこれだけに限定されるものではない。なお、周知の技術に関しては、詳細な説明を省略する。
【００１０】
（第一の実施形態）
まず、第一の実施形態である大腿部揺動装置１の構成について、図１及び図２を参照して説明する。図１は本実施形態の大腿部揺動装置１を模式的に示した平面図である。図２は大腿部揺動装置１を模式的に示した正面図（ベッドの下半身部を除いたもの）である。
【００１１】
図１及び図２に示すように、大腿部揺動装置１は、主にベッド１１、中心支柱１２、左右支柱１３、１３、調節手段１４、揺動手段１５で構成される。
【００１２】
ベッド１１は、人が仰向けに横たわるのに十分な大きさのものである。本実施形態では、上半身部１１ａと下半身部１１ｂとで構成され、上半身部１１ａと下半身部１１ｂとの間には、隙間が設けてある。
【００１３】
図２に示すように、中心支柱１２は、金属パイプ製の芯１２ａにクッション性を有するウレタン等の材料を被覆させ、さらに外面表面をビニール等で被覆させたものである。
【００１４】
中心支柱１２はベッド１１の上面に対し垂直方向上側に突出し、芯１２ａはベッド１１の隙間から下方向に延び、後述するケース１５ａに固定されている。
【００１５】
左右支柱１３、１３は、中心支柱１２とほぼ同様の構成である。なお、本実施形態では、中心支柱１２及び左右支柱１３、１３の構成をこのようにしたが、これに限らないのはもちろんである。ただし、大腿部を挟んで揺動させるため、ある程度の強度が必要である。また、大腿部に接する部分は、弾性部材であることが望ましいが、あまり柔らかいと大腿部をしっかり挟めないため、適度な弾性であることが望ましい。
【００１６】
図２に示すように、調節手段１４は、ベッド１１の下方、ケース１５ａ内で左右支柱１３、１３の芯１３ａ、１３ａに接続され、ハンドル１４ａを用いて、左右支柱１３、１３の間隔を調節できるようになっている。ラック・アンド・ピニオン等の周知の技術を用いているため、説明は省略する。バイスのようにボルトを用いたものでもよい。
【００１７】
揺動手段１５は、中心支柱１２及び左右支柱１３、１３を調節手段１４ごと一体的に左右に揺動させるもので、中心支柱１２及び左右支柱１３、１３、調節手段１４を納めたケース１５ａと駆動力１５ｂとで構成される。ケース１５ａは、ベッド１１に固定された図示しないスライドレールに支持されて左右にスライド可能となっている。駆動力１５ｂは、ベッド１１に固定されたモータとモータの回転軸に接続された円板状のフライホイールとフライホイールの中心軸から外れた位置に接続されたシャフトから構成される。これらは、いずれも周知の技術を用いている。
【００１８】
つぎに、大腿部揺動装置１の使用方法について説明する。
図１に示すように被施術者Ｈをベッドに仰向けに寝かせ、中心支柱１２を股の間に挟ませる。調節手段１４を用い、大腿部の外側と内側を少し押すところまで左右支柱１３、１３を狭める。その状態で揺動手段１５により、中心支柱１２及び左右支柱１３、１３を一体的に左右に揺動させる。
【００１９】
そうすると、中心支柱１２及び左右支柱１３、１３が右に移動した時は、両足ともかかとを支点として全体的に右回転し、中心支柱１２及び左右支柱１３、１３が左に移動した時は、両足ともかかとを支点として全体的に左回転する。これにより、中心支柱１２及び左右支柱１３、１３によって挟まれた大腿部の部位に対し、手の平で押したまま揉む（押した手の平を足の回転方向とは反対の方向に移動させる）のと同様のマッサージ効果を与えることができる。
【００２０】
被施術者の寝る位置を上下させることでマッサージ効果を与える施術部位を変えることができるが、リンパ液等は、体の中心に向かって流すとよいと言われているため、最初はひざに近いところを中心支柱１２及び左右支柱１３、１３で挟んで揺動させ、少しずつ足の付け根のほうに移動させていくのが望ましい。
【００２１】
（第二の実施形態）
つぎに、第二の実施形態である大腿部揺動装置２の構成について、図３及び図４を参照して説明する。図３は本実施形態の大腿部揺動装置２を模式的に示した平面図である。図４は、本実施形態の大腿部揺動装置２を模式的に示した正面図である。
【００２２】
図３及び図４に示すように、大腿部揺動装置２は、主にベッド２１、中心支柱２２、左右支柱２３、２３、調節手段２４、揺動手段２５で構成される。
【００２３】
ベッド２１は、ベッド１１と異なり分割されていない通常のものである。
【００２４】
中心支柱２２、左右支柱２３、２３は、芯２２ａ、芯２３ａ、２３ａの長さが短い以外中心支柱１１、左右支柱１３、１３とほぼ同様の構成である。
【００２５】
中心支柱２２はベッド２１の上面に対し垂直方向上側に突出し、芯２２ａは後述するケース２５ａに固定されている。左右支柱２３、２３は、中心支柱２２ほぼ同様の構成である。
【００２６】
調節手段２４は、長尺のボルトを用いた周知の技術であるため、説明を省略する。調節手段２４は、ケース２５ａ内に設けられている。調節手段２４には、左右支柱２３、２３の芯２３ａ、２３ａが接続されている。
【００２７】
揺動手段２５は、中心支柱２２及び左右支柱２３、２３を調節手段２４ごと一体的に左右に揺動させるもので、ケース２５ａと駆動力２５ｂとで構成される。ケース２５ａは、図示しない固定手段によってベッド２１の上面に固定されたスライドレール２５ｃに支持されて左右にスライド可能となっている。駆動力２５ｂは、ベッド２１に固定されたモータとモータの回転軸に接続された円板状のフライホイールとフライホイールの中心軸から外れた位置に接続されたシャフトから構成される。これらは、いずれも周知の技術を用いている。
【００２８】
大腿部揺動装置２の使用方法は、大腿部揺動装置１と同じである。なお、本実施形態では、ケース２５ａには、臀部も載置されるようになっているが、施術部位付近だけが載置されるようになっていてもよい。
【００２９】
上述した内容は、あくまでも本発明の一実施形態に関するものであって、本発明が上記内容に限定されることを意味するものではない。例えば、第一の実施形態では、ベッド１１は上半身部１１ａと下半身部１１ｂの２つからなり、間に隙間のあるものであるが、１つの部材からなるベッドとし、スリットを設けたものでもよい。
【符号の説明】
【００３０】
１  大腿部揺動装置１
２  大腿部揺動装置２
１１  ベッド        １１ａ  上半身部    １１ｂ  下半身部
１２  中心支柱
１３  左右支柱
１４  調節手段
１５  揺動手段
２１  ベッド
２２  中心支柱
２３  左右支柱
２４  調節手段
２５  揺動手段  
【図１】
2019098035.tif 000003
【図２】
2019098035.tif 000004
【図３】
2019098035.tif 000005
【図４】
2019098035.tif 000006